(57)【特許請求の範囲】
【請求項１】
昇降機の機器に関する計測を行う計測手段と、
前記計測手段による計測結果を近距離無線通信により昇降機施設の構内に設置される記憶装置に書き込む書込手段と、
前記記憶装置に書き込まれた計測結果を近距離無線通信により読み取る読取手段と、
前記読取手段により読み取った計測結果を保守員によって取り扱うための外部装置に出力する出力手段と、
を備え、
前記記憶装置および前記書込手段の位置関係は、前記書込手段が前記計測手段による計測結果を近距離無線通信により前記記憶装置に書き込めるように固定されることを特徴とする昇降機保守管理装置。
【請求項２】
前記出力手段は、前記読取手段により読み取った計測結果を携帯通信端末装置に送信することを特徴とする請求項１に記載の昇降機保守管理装置。
【請求項３】
前記計測に関連する情報の入力を受け付ける入力手段をさらに備え、
前記書込手段は、前記入力手段により入力した情報を近距離無線通信により前記記憶装置に書き込むことを特徴とする請求項１に記載の昇降機保守管理装置。
【請求項４】
前記書込手段は、前記計測手段による計測結果を予め定められた時間間隔で近距離無線通信により前記記憶装置に書き込むことを特徴とする請求項１に記載の昇降機保守管理装置。
【請求項５】
前記書込手段による書き込みを指示するための入力手段をさらに備え、
前記書込手段は、前記入力手段による入力操作にしたがって前記計測結果を近距離無線通信により前記記憶装置に書き込むことを特徴とする請求項１に記載の昇降機保守管理装置。
【発明の詳細な説明】
【技術分野】
【０００１】
本発明は、昇降機の機器の計測の管理を行なう昇降機保守管理装置に関する。
【背景技術】
【０００２】
従来、昇降機の保守員は、昇降機の機器、例えば制御盤などの点検のために、計測器等による測定を実施している（例えば特許文献１参照）。
【０００３】
保守員は、昇降路の機器の電圧や電流を測定する場合、テスターなどの測定器を用いて電圧値や電流値を目視で確認した上で、携帯通信端末装置を用いて入力操作を行なったり紙に記載したりすることで測定結果を記録している。
【特許文献１】特開２００１−２６１２４９公報
【発明の開示】
【発明が解決しようとする課題】
【０００４】
前述したように、昇降路の機器の電圧値や電流値などの測定値を入力操作により記録するための入力操作や紙への記載を行なうには時間を要する。よって、計測が行なわれるたび、この計測結果の記録のために作業が中断されることになるので作業効率が悪い。また、保守員の目視による確認ミスや入力操作ミスなどより、記録される情報が正しいものとならない場合がある。
【０００５】
そこで、本発明の目的は、保守員による昇降機の機器の保守のための測定にかかる作業効率を向上させ、かつ、測定結果の正しい記録を行なうことが可能になる昇降機保守管理装置を提供することにある。
【課題を解決するための手段】
【０００６】
本発明に係わる昇降機保守管理装置は、昇降機の機器に関する計測を行なう計測手段と、この計測手段による計測結果を近距離無線通信により昇降機施設の構内に設置される記憶装置に書き込む書込手段と、記憶装置に書き込まれた計測結果を近距離無線通信により読み取る読取手段と、この読取手段により読み取った計測結果を保守員によって取り扱うための外部装置に出力する出力手段とを備え、記憶装置および書込手段の位置関係は、書込手段が計測手段による計測結果を近距離無線通信により記憶装置に書き込めるように固定されることを特徴とする。
【発明の効果】
【０００７】
本発明によれば、保守員による昇降機の機器の保守のための測定にかかる作業効率を向上させ、かつ、測定結果の正しい記録を行なうことができる。
【発明を実施するための最良の形態】
【０００８】
以下図面により本発明の実施形態について説明する。  
図１は、本発明の実施形態におけるエレベータ保守管理システムの構成例を示すブロック図である。なお、本実施形態においてはエレベータを例にとって説明するが、本発明はマンコンベアなどのその他の昇降機にも適用することができる。
【０００９】
図１に示すように、本発明の実施形態では、昇降機施設の構内に設置される計測機能付きＲＦＩＤ（Radio Frequency Identification）ライタ１、ＩＣタグ２、保守員が点検作業時に携行するＲＦＩＤリーダ３および携帯通信端末装置４でエレベータ保守管理システムを構成している。
【００１０】
昇降機施設とは、例えばエレベータの機械室、昇降路およびこれらの近傍である。本実施形態では、計測機能付きＲＦＩＤライタ１は機械室内のエレベータ制御盤の側に設置される。以下、計測機能付きＲＦＩＤライタ１を単にＲＦＩＤライタ１と称する。
【００１１】
ＲＦＩＤライタ１は、エレベータの各箇所の点検結果を示す情報を近距離無線通信、つまり非接触によりＩＣタグ２に書き込む機能を有する。  
ＩＣタグ２は、ＲＦＩＤライタ１の設置箇所の側に固定される。本実施形態では、ＲＦＩＤライタ１の設置位置およびＩＣタグ２の設置位置は固定されている。ＲＦＩＤライタ１とＩＣタグ２との間には当該ＲＦＩＤライタ１とＩＣタグ２間の近距離無線通信を妨げる遮蔽物は設けられていない。また、ＲＦＩＤライタ１とＩＣタグ２のとの間の距離は、近距離無線通信を行なえる距離であることはもちろんである。
【００１２】
ＲＦＩＤリーダ３は、装置自体をＩＣタグ２に近接させることで、ＩＣタグ２に書き込まれた情報を近距離無線通信により読み取る機能を有する。このＲＦＩＤリーダ３には、保守員が当該ＲＦＩＤリーダ３を例えば腕に装着して携行可能にするためのベルトが取り付けられる。
【００１３】
図２は、本発明の実施形態におけるエレベータ保守管理システムのＲＦＩＤライタの構成例を示すブロック図である。  
図２に示すように、ＲＦＩＤライタ１は、各部の動作を司る制御部１１、記憶装置１２、現在日時を計時する計時部１４、計測値取得部１５、通信インタフェース１６、書込処理部１７、入力装置１８を備え、それぞれがバス１９を介して相互に接続される。また、通信インタフェース１６にはＩＣタグ２との無線通信用のアンテナ２０が接続される。
【００１４】
記憶装置１２は、不揮発性メモリなどの記憶媒体であり、各部の処理動作のための制御プログラムを記憶する他、設置箇所情報記憶部１３を備える。設置箇所情報記憶部１３には、エレベータの設置建物名やエレベータ号機の情報が記憶される。
【００１５】
計測値取得部１５は、点検対象の機器、例えばエレベータ制御盤の電圧計や電流計などの計測器にケーブルなどを介して接続され、これらの計測器による計測結果である計測値を取得する。ここでは、前述したようにエレベータ制御盤の側に設置されるＲＦＩＤライタ１の計測値取得部１５と当該エレベータ制御盤の各種計測器とが短いケーブルを介して接続されることになる。
【００１６】
また、計測値取得部１５と各種計測器との接続形態はこれに限らず、ＲＦＩＤライタ１を例えば玄関階の乗場に設置した上で、当該ＲＦＩＤライタ１の計測値取得部１５とエレベータ制御盤の各種計測器とが長いケーブルを介して接続される形態であっても良い。この場合ＩＣタグ２の設置箇所はＲＦＩＤライタ１の設置箇所の側であることはもちろんである。
【００１７】
書込処理部１７は、書込み対象の情報を通信インタフェース１６およびアンテナ２０を介して書込み対象であるＩＣタグ２へ送信する。これによりＲＦＩＤライタ１はＩＣタグ２へ情報を非接触で書き込む。
【００１８】
図３は、本発明の実施形態におけるエレベータ保守管理システムのＲＦＩＤリーダの構成例を示すブロック図である。  
図３に示すように、ＲＦＩＤリーダ３は、各部の動作を司る制御部３１、記憶装置３２、読取処理部３３、通信処理部３４、通信インタフェース３５を備え、それぞれがバス３６を介して相互に接続される。また、通信インタフェース３５にはＩＣタグ２や携帯通信端末装置４との無線通信用のアンテナ３７が接続される。
【００１９】
記憶装置３２は、不揮発性メモリなどの記憶媒体であり、各部の処理動作のための制御プログラムを記憶する。読取処理部３３は、ＩＣタグ２の内部メモリに記憶される情報をアンテナ３７および通信インタフェース３５を介して受信する。これによりＲＦＩＤリーダ３はＩＣタグ２に書き込まれた情報を非接触で読み取る。  
通信処理部３４は、読取処理部３３が受信した情報を通信インタフェース３５およびアンテナ３７を介して携帯通信端末装置４に送信する。
【００２０】
図４は、本発明の実施形態におけるエレベータ保守管理システムの携帯通信端末装置の構成例を示すブロック図である。  
図４に示すように、携帯通信端末装置４は、各部の動作を司る制御部４１、記憶装置４２、入力装置４４、表示装置４５、通信インタフェース４６、判別処理部４７を備え、それぞれがバス４８を介して相互に接続される。また、通信インタフェース４６にはＩＣタグ２との無線通信用のアンテナ４９が接続される。
【００２１】
記憶装置４２は、不揮発性メモリなどの記憶媒体であり、各部の処理動作のための制御プログラムを記憶する他、測定情報記憶部４３を備える。測定情報記憶部４３には、測定結果を管理するための測定結果テーブルが記憶される。  
表示装置４５は、ＲＦＩＤリーダ３から受信済みの情報を表示するディスプレイ装置などである。
【００２２】
次に、ここまで示した構成のエレベータ保守管理システムの動作について説明する。  
図５は、本発明の実施形態におけるエレベータ保守管理システムの処理動作の一例を示すフローチャートである。  
まず、ＲＦＩＤライタ１の計時部１４が予め定められた時間、例えば２４時間が経過したことを計時した場合には（ステップＳ１）、計測値取得部１５は、接続先のエレベータ制御盤の電圧計や電流計による計測値を取得する（ステップＳ２）。
【００２３】
そして、書込処理部１７は、記憶装置１２の設置箇所情報記憶部１３に記憶される設置建物名やエレベータ号機の情報を読み出す（ステップＳ３）。  
書込処理部１７は、この読み出した情報と計測値取得部により取得した計測値の情報とをあわせ、通信インタフェース１６およびアンテナ２０を介してＩＣタグ２へ送信し、このＩＣタグ２の内部メモリに記憶させる（ステップＳ４）。
【００２４】
そして、保守員がＲＦＩＤリーダ３をＩＣタグ２に近接させると（ステップＳ５のＹＥＳ）、このＩＣタグ２の内部メモリに記憶された設置建物名、エレベータ号機名および各種計測値の情報が内部アンテナを介してＲＦＩＤリーダ３に送信される。
【００２５】
ＲＦＩＤリーダ３の読取処理部３３が、この送信された情報をアンテナ３７および通信インタフェース３５を介して受信する、つまり、ＲＦＩＤリーダ３がＩＣタグ２に記憶された情報を読み取ると（ステップＳ４）、通信処理部３４は、この読み取られた情報を通信インタフェース３５およびアンテナ３７を介して携帯通信端末装置４へ送信する（ステップＳ７）。
【００２６】
携帯通信端末装置４の通信インタフェース４６がＲＦＩＤリーダ３からの情報をアンテナ４９を介して受信すると（ステップＳ８）、制御部４１は、この受信した情報を記憶装置４２の測定情報記憶部４３に記憶される測定結果テーブルに記録する（ステップＳ９）。  
図６は、本発明の実施形態におけるエレベータ保守管理システムの携帯通信端末装置の記憶装置に記憶される測定結果テーブルの構成例を表形式で示す図である。
【００２７】
そして、判別処理部４７は、記憶装置４２の測定情報記憶部４３に記憶された測定値を読み出し、この測定値が予め定められた範囲内にある、つまり測定値が正常な値にあるか否かを判別する（ステップＳ１０）。
【００２８】
判別処理部４７は、前述した判別の結果、測定値が前述した範囲内にあれば測定値が正常と判別し、この判別結果である「良」を測定情報テーブル上の判別対象の測定値と関連付ける。また、判別処理部４７は、前述した判別の結果、測定値が前述した範囲内に無い場合には、測定値が異常であって修理を要すると判別し、この判別結果を測定情報テーブル上の判別対象の測定値と関連付けて記録する（ステップＳ１１）。
【００２９】
以上のように、本発明の実施形態におけるエレベータ保守管理システムでは、昇降機施設の構内のＲＦＩＤライタ１は当該構内の機器の電圧値や電流値などの計測値を取得して、側のＩＣタグ２へ書き込む。そして保守員が携帯するＲＦＩＤリーダ３をＩＣタグ２に近接させれば、測定値の情報がＩＣタグ２からＲＦＩＤリーダ３に読み出され、さらにこの情報が外部装置である携帯通信端末装置４へ送信されて保存される。よって、保守員はＲＦＩＤライタ１の側にあるＩＣタグ２にＲＦＩＤリーダ３を近接させるだけで、各種測定値を携帯通信端末装置へ記録することができる。つまり、保守員による計測値の目視を行なう必要がなくなるので、点検作業の効率が向上するだけでなく、目視による測定値の確認ミスを防止することができる。加えて、保守員による測定値の記録のための手作業が不要になるので、測定値の記録に関わる人為的ミスを防止できる。よって、測定値を正しく記録することができる。
【００３０】
以上説明した実施形態では、ＲＦＩＤライタ１は予め定められた時間が経過するごとに、各種測定値を取得し、この測定値の情報をＩＣタグ２に書き込むと説明したが、これに限らず、取得した測定値の情報をＲＦＩＤライタ１の記憶装置１２に蓄積記憶しておき、現場に到着した保守員が入力装置１８の書き込み用ボタンを操作することで、記憶装置１２に蓄積記憶された測定値の情報をＩＣタグ２に書き込むようにしてもよい。
【００３１】
また、変形例として、保守員が現場での計測以外の点検作業や部品交換作業を行なった際に、当該保守員による携帯通信端末装置４の入力装置４４への操作により、点検実施日や部品交換日などを入力して、この入力した情報をＲＦＩＤライタ１に送信して、この情報のＲＦＩＤライタ１による受信後、ＲＦＩＤライタ１の入力装置１８への予め定められた操作によりＩＣタグ２に書き込む構成としてもよい。これにより、後日同じ現場に故障等で到着した保守員は、当該現場での各種点検日や部品交換日などの状況を速やかに確認できる。
【００３２】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００３３】
【図１】本発明の実施形態におけるエレベータ保守管理システムの構成例を示すブロック図。
【図２】本発明の実施形態におけるエレベータ保守管理システムのＲＦＩＤライタの構成例を示すブロック図。
【図３】本発明の実施形態におけるエレベータ保守管理システムのＲＦＩＤリーダの構成例を示すブロック図。
【図４】本発明の実施形態におけるエレベータ保守管理システムの携帯通信端末装置の構成例を示すブロック図。
【図５】本発明の実施形態におけるエレベータ保守管理システムの処理動作の一例を示すフローチャート。
【図６】本発明の実施形態におけるエレベータ保守管理システムの携帯通信端末装置の記憶装置に記憶される測定結果テーブルの構成例を表形式で示す図。
【符号の説明】
【００３４】
１…計測機能付きＲＦＩＤライタ、２…ＩＣタグ、３…ＲＦＩＤリーダ、４…携帯通信端末装置、１１，３１，４１…制御部、１２，３２，４２…記憶装置、１３…設置箇所情報記憶部、１４…計時部、１５…計測値取得部、１６，３５，４６…通信インタフェース、１７…書込処理部、１８，４４…入力装置、１９，３６，４８…バス、２０，３７，４９…アンテナ、３３…読取処理部、３４…通信処理部、４３…点検結果情報記憶部、４５…表示装置、４７…判別処理部。
【図１】
0005278870.tif 000002
【図２】
0005278870.tif 000003
【図３】
0005278870.tif 000004
【図４】
0005278870.tif 000005
【図５】
0005278870.tif 000006
【図６】
0005278870.tif 000007